(57)【要約】【課題】複数系統のスピーカシステムＳＰＳ「１」〜ＳＰＳ「５」の中から当該楽曲のタイプに対応した系統のスピーカシステムに自動的に切り換えて楽曲を再生する音楽再生装置を提供する。【解決手段】外部データベース又は内部のＣＤ／ＤＶＤから読み出した楽曲データと、外部から読み出したメタデータとを記憶するメモリ手段４，５と、各楽曲のタイプと各系統のスピーカシステムとが対応付けられた組み合わせパターンＡ〜Ｅの中から、メモリ手段４，５から読み出した組み合わせパターンを抽出し、当該組み合わせパターンに係る系統のスピーカシステムに切換えるための切換制御信号とメモリ手段５から読み出した楽曲データとを切換手段１６へそれぞれ出力する制御手段８と、制御手段８から供給される切換制御信号に基づいて選択されたスピーカシステムに切換える切換手段１６とを備えている。【選択図】図１
2010011159.tif 000002
【特許請求の範囲】
【請求項１】
通信ネットワークに接続する外部データベース又は内部の情報記録媒体から読み出した楽曲データと、前記外部データベースから読み出した当該楽曲に関する楽曲付帯データとを記憶するメモリ手段と、
各楽曲のタイプと各系統のスピーカシステムとがマトリクス状に対応付けられて成る組み合わせパターンの中から、当該楽曲に関する前記楽曲付帯データと当該楽曲のタイプに対応した系統のスピーカシステムとの組み合わせパターンを抽出し、抽出した系統のスピーカシステムに切換えるための切換制御信号と、前記メモリ手段又は前記情報記録媒体から読み出した前記楽曲データとを出力する制御手段と、
前記切換制御信号によってスピーカシステムを切換え、切換えた当該スピーカシステムに前記楽曲データに応じた音声信号を供給する切換手段とを、
備えたことを特徴とする音楽再生装置。
【請求項２】
各楽曲のタイプと各系統の音声信号増幅器と各系統のスピーカシステムとが対応付けられて成る組み合わせパターンの中から、当該楽曲に関する楽曲付帯データと音声信号増幅器とスピーカシステムとの組み合わせパターンを抽出し、当該組み合わせパターンに係る音声信号増幅器とスピーカシステムとに切換えるための切換制御信号と、通信ネットワークに接続する外部データベース又は内部の情報記録媒体から読み出した楽曲データとを出力する制御手段と、
前記切換制御信号に基づいて選択された音声信号増幅器とスピーカシステムとに切換え、前記楽曲データに応じた音声信号を当該音声信号増幅器に供給する切換手段とを、
備えたことを特徴とする音楽再生装置。
【発明の詳細な説明】
【技術分野】
【０００１】
本発明は音楽再生装置に係り、ユーザが区分けした楽曲のタイプ毎に最適な音場で楽曲を再生できるように、スピーカシステムの系統やアンプの組み合わせを自動的に切換える音楽再生装置に関するものである。
【背景技術】
【０００２】
近年、新しい材料として木の振動板を用いたスピーカユニットをスピーカボックスに組み込んだスピーカや、指向性を大きく拡げて聴取位置によらずに常に均質な再生音を聴取できる無指向性スピーカが商品化されている。これらスピーカの登場によって、好みの楽曲を好みの音で聴取できるようになった。
【０００３】
しかし、スピーカと相性が良い楽曲のタイプを再生すると最適な再生音を得ることができるが、異なる楽曲のタイプを再生すると最適な再生音を得ることができない。このように、どのような楽曲のタイプを再生しても最適な再生音を自動的に得ることができる万能なスピーカはほとんど無いのが現状である。
【０００４】
さて、メモリオーディオ装置やＣＤ再生装置を用いて再生する楽曲データの取得は、ＩＤ３タグに適合したデータや、インターネット網に接続する外部のデータベースに蓄積されているデータと照合して、曲名、アルバム名、アーティスト名、ジャンル名などの、当該楽曲に隣接した楽曲付帯データである、メタデータを取得することにより行うことができる。こうして取得したメタデータを装置側で楽曲の検索などに活用することによって、ユーザは楽曲に関する情報を多く収集することができるから、好みの楽曲の再生が便利に行えるようになってきた。
【０００５】
ここで、メタデータとは、コンピュータを用いて大量のデータ群から目的に合致したデータを取り出すための情報検索システムの検索の対象となるデータを要約したデータである。また、ＩＤ３タグとは、デジタル音声のための圧縮音声ファイルフォーマットのひとつであるＭＰ３ファイルの中に、アーティスト、作成年、曲名などの情報を書き込むための規格である。
【０００６】
前記した如くのメタデータから、楽曲のジャンルを何らかの方法で取得し、そのジャンルに応じて、予めジャンル毎に設定された最適な音質・音場設定に切換えて再生するという技術は、周知である。
【０００７】
即ち、特許文献１は楽曲毎に、また、特許文献２ではメディア毎に、音質設定値を記憶して、再生時にその設定値により最適な音質・音場設定に切換えて再生するという技術が述べられている。
【特許文献１】特開２００２−２８７７７４号公報
【特許文献２】特開２００５−３５３２３７号公報
【発明の開示】
【発明が解決しようとする課題】
【０００８】
しかし、前記した背景技術では、着目点が音質・音場補正を最適にしてユーザが好む音質で楽曲を再生しようという範囲にとどまっており、音質・音場補正以前の、ユーザが再生したい楽曲のタイプ毎のスピーカの得意／不得意であるとか、スピーカとアンプとの組み合わせの相性という所に着目した改善がなされていなかった。
【０００９】
また、背景技術では、一系統のスピーカを前提とした聴取改善に過ぎず、スピーカと楽曲のタイプの相性により、ある曲のタイプでは大きな満足が得られても、別のある曲のタイプは不満足な音楽聴取となってしまい、真に満足する聴取には達していなかった。
【００１０】
そこで本発明は、このような問題に着目しこれを有効に解決すべく創案されたものであり、楽曲のタイプに応じた系統のスピーカシステムやアンプに自動的に切換えが可能である音楽再生装置を提供することを目的とする。
【課題を解決するための手段】
【００１１】
そこで本発明は、上記した課題を解決するために、下記する（１）、（２）の構成の音楽再生装置を提供する。
（１）
通信ネットワーク（インターネット網）１に接続する外部データベース又は内部の情報記録媒体（ＣＤ／ＤＶＤ）から読み出した楽曲データ（オーディオデータ）と、前記外部データベースから読み出した当該楽曲に関する楽曲付帯データ（メタデータ）とを記憶するメモリ手段４，５と、
各楽曲のタイプと各系統のスピーカシステムＳＰＳ「１」〜ＳＰＳ「５」とがマトリクス状に対応付けられて成る組み合わせパターン（再生システム（Ｓｙｓｔｅｍ））Ａ〜Ｅの中から、当該楽曲に関する前記楽曲付帯データと当該楽曲のタイプに対応した系統のスピーカシステムとの組み合わせパターンを抽出し、抽出した系統のスピーカシステムに切換えるための切換制御信号と、
前記メモリ手段５又は前記情報記録媒体から読み出した前記楽曲データとを出力する制御手段８と、  前記切換制御信号によってスピーカシステムを切換え、切換えた当該スピーカシステムに前記楽曲データに応じた音声信号を供給する切換手段１６とを、
備えたことを特徴とする音楽再生装置。
（２）  各楽曲のタイプと各系統の音声信号増幅器（アンプＡＭＰ１〜ＡＭＰ３）と各系統のスピーカシステムＳＰＳ「１」〜ＳＰＳ「５」とが対応付けられて成る組み合わせパターン（再生システム（Ｓｙｓｔｅｍ））Ａ〜Ｅの中から、当該楽曲に関する楽曲付帯データ（メタデータ）と音声信号増幅器とスピーカシステムとの組み合わせパターンを抽出し、当該組み合わせパターンに係る音声信号増幅器とスピーカシステムとに切換えるための切換制御信号と、通信ネットワーク（インターネット網）１に接続する外部データベース又は内部の情報記録媒体（ＣＤ／ＤＶＤ）から読み出した楽曲データ（オーディオデータ）とを出力する制御手段８と、
前記切換制御信号に基づいて選択された音声信号増幅器とスピーカシステムとに切換え、前記楽曲データに応じた音声信号を当該音声信号増幅器に供給する切換手段２０とを、
備えたことを特徴とする音楽再生装置。
【発明の効果】
【００１２】
上述した本発明は、本装置で最初に再生する楽曲のタイプ分けに応じた系統のスピーカシステムやアンプに自動的に切換えることにより、当該楽曲を好みの音場で再生することができ、また、楽曲のタイプ分けに応じた系統のスピーカシステムやアンプの組み合わせたパターンを予めメモリしておくことにより、次回以降の再生の際にはこの組み合わせパターンを読み出すだけで楽曲のタイプに応じた系統のスピーカシステムやアンプに自動的に切換えが可能である音楽再生装置を提供することができる。
【発明を実施するための最良の形態】
【００１３】
以下、本発明の好ましい実施の形態について、図１〜図１４を参照しながら詳細に説明する。図１〜図４はそれぞれ本発明の第１〜第４の実施の形態にかかる音楽再生装置のブロック構成図、図５はオーディオ＆スピーカ切換部のブロック構成図、図６はリモコンを示す図、図７は各再生システムの切換パターンを示す図、図８は各楽曲に関するメタデータ内容を示す図、図９は再生システム設定のフローチャート及び設定画面を示す図、図１０は音楽再生装置の再生フローチャート、図１１は楽曲毎に楽曲タイプを登録するためのフローチャート、図１２は楽曲毎に行なう楽曲タイプの登録又は同一のジャンルの全てや同一アルバムの全てを一括して楽曲タイプを登録するためのフローチャート、図１３はリードイントラックのサブコードのデータＱのデータフォーマットを示す図、図１４はオーディオトラックのサブコードのデータＱのデータフォーマットを示す図である。図１〜図５中「コンテンツ信号」は楽曲データ（オーディオデータ）を指す。
【００１４】
（第１の実施の形態）
本発明の第１の実施の形態に係る音楽再生装置ＡＡは、下記に詳述する如く、図１、図７に示すように、通信ネットワーク（インターネット網）１と複数系統のスピーカシステムＳＰＳ「１」〜ＳＰＳ「５」との間に介挿接続され、かつ再生すべき楽曲のタイプ毎に対応付けられた前記複数系統のスピーカシステムの中から当該楽曲のタイプに対応した系統のスピーカシステムを選択して、楽曲を再生する音楽再生装置であって、
メモリ手段（データベース部４、オーディオデータ記録部５）と、切換手段（スピーカ切換え部）１６と、制御手段（ＣＰＵ）８とを備えており、
前記メモリ手段４，５は、
通信ネットワーク１に接続する外部データベース又は内部の情報記録媒体（ＣＤ／ＤＶＤ）から読み出した楽曲データ（オーディオデータ）と、前記外部データベースから読み出した当該楽曲に関する楽曲付帯データ（メタデータ）とをメモリし、
前記制御手段８は、
各音楽のタイプと各系統のスピーカシステムとがマトリクス状に対応付けられて成る組み合わせパターン（再生システム（Ｓｙｓｔｅｍ））Ａ〜Ｅの中から、当該楽曲に関する前記メモリ手段４から読み出した前記楽曲付帯データと当該楽曲のタイプに対応した系統のスピーカシステムとの組み合わせパターンを抽出し、抽出した系統のスピーカシステムに切換えるための切換制御信号と、前記メモリ手段５から読み出した前記楽曲データとを、前記切換手段１６へそれぞれ出力し、
前記切換手段１６は、
前記制御手段８から供給される前記切換制御信号によってスピーカシステムを切換え、切換えた当該スピーカシステムに前記楽曲データに応じた音声信号を供給することを特徴とする音楽再生装置である。
ここで、本発明の「楽曲のタイプ」とは、再生する楽曲毎に、ユーザがイメージする曲想に適合した音場で再生できるようユーザが予めタイプ分けしておいたものであり、例えば後述する図７に示すように、「Ｊａｚｚライブ録音等」「Ｊａｚｚスタジオ録音等」「クラシック等」「Ｐｏｐｓ，Ｒｏｃｋ等（ステレオ）」「ＤＶＤ／５．１ｃｈソース等（マルチチャンネル）」を指す。
【００１５】
具体的には、音楽再生装置ＡＡは、図１に示すように、大略、ＣＤ（コンパクトディスク）／ＤＶＤ（デジタルバーサタイルディスク）再生部２を内蔵し、且つ、データベース部（Ｄａｔａ Ｂａｓｅ）４とオーディオデータ記録部（Ａｕｄｉｏ Ｄａｔａ）５とを有し、オーディオデータ記録部４に対して、ＣＤからのリッピング或いはインターネット網１上の配信音楽の取り込みにより楽曲データを読み込み、かつ、データベース部４に対して、ここにプリインストールしてある内部データベース或いはインターネット網１上の外部データベースから楽曲データに関するメタデータを読み込む。また音楽再生装置ＡＡは、音楽サーバー／クライアントの働きを持ち、本発明の特徴である再生すべき楽曲のタイプに応じて複数系統のスピーカシステムのうちから最適な系統のスピーカシステムに自動的に切換えて、聴きたい楽曲を最適な音場で再生できる音楽再生装置である。
【００１６】
図１中、１はインターネット網、２はＣＤ又はＤＶＤを再生するＣＤ／ＤＶＤ再生部、３はＨＤＤ部、４はデータベース部、５はオーディオデータ記録部、６はＤＬＮＡサーバー／クライアント部、７はオーディオアンプ＆スピーカ切換え部、８はＣＰＵ、９はリモコン受信部、１０はスピーカケーブル、１１〜１５はそれぞれスピーカ、１６はスピーカ切換え部、５１はリモートコントロール（以下「リモコン」と記す）である。
【００１７】
ここで、ＤＬＮＡ（Ｄｉｇｉｔａｌ Ｌｉｖｉｎｇ Ｎｅｔｗｏｒｋ Ａｌｌｉａｎｃｅ）は、家電、モバイル、およびパーソナルコンピュータ産業における異メーカー間の機器の相互接続を容易にするために結成された業界団体が定めた規格名である。
【００１８】
前記した５つのスピーカ１１〜１５は、単独あるいは複数で、５つの系統のスピーカシステムＳＰＳ「１」〜ＳＰＳ「５」（図７）を形成する。即ち、
第１の系統のスピーカシステムＳＰＳ「１」は、木製振動板を供えたウッドコーン（登録商標・スピーカ）（フロント（Ｆ））で形成される。
第２の系統のスピーカシステムＳＰＳ「２」は、ウッドコーン・スピーカ（Ｆ）＋サブウーファで形成される。
第３の系統のスピーカシステムＳＰＳ「３」は、球形スピーカ（Ｆ）＋サブウーファで形成される。
第４の系統のスピーカシステムＳＰＳ「４」は、振動板形状を非対称としたフロント用オブリコーン（登録商標）・スピーカ（Ｆ）で形成される。
第５の系統のスピーカシステムＳＰＳ「５」、フロント用オブリコーン・スピーカ（Ｆ）＋センター用オブリコーン・スピーカ（Ｓ）＋リアサラウンド用オブリコーン・スピーカ（Ｒ）＋サブウーファで形成される。
【００１９】
ＨＤＤ部３は、データベース部４とオーディオデータ記録部５とを備えている。
オーディオデータ記録部５は、ＣＤ／ＤＶＤ再生部２から供給される音楽ファイル（楽曲データ）、又は、インターネット網１上の外部データベースからの配信音楽をＤＬＮＡサーバー／クライアント部６から取り込む楽曲データを記録する。
【００２０】
データベース部４は、オーディオデータ記録部５に取り込んだ楽曲データに隣接する楽曲付帯データ（メタデータ）を、インターネット網１上にあって音楽ＣＤの演奏者や制作年度などの情報が格納されたデータベースであるＣＤＤＢ（Ｃｏｍｐａｃｔ Ｄｉｓｃ Ｄａｔａ Ｂａｓｅ）の楽曲データベースや、既にデータベース部４にプリインストールされたローカルデータベースから取得し、記録する。
【００２１】
一方、ＣＤ／ＤＶＤ再生部２にＣＤを挿入すると、ＣＤ／ＤＶＤ再生部２は、当該ＣＤのＴＯＣデータを図１３に示すリードイントラックのサブコードのデータＱから読み取り、ＣＰＵ８に供給する。
【００２２】
これに応じてＣＰＵ８は、ＤＬＮＡサーバー／クライアント部６を経由して、インターネット網１上にあるＣＤＤＢの楽曲データベースや、データベース部４内のローカルデータベースにアクセスし、該当するメタデータを取得し、当該楽曲に関するメタデータとして装置ＡＡ内のデータベース部４に記録する。
【００２３】
各楽曲に関するメタデータは、図８に示すように、各項目に分類されている。
「楽曲ＩＤ」は、装置内部で各楽曲を管理するためのローカルの管理番号データであり、「ジャンル名」、「アーティスト名」、「アルバム名」、「曲名」、「曲順（何曲目）」、「アルバム内曲数」、「曲長さ（時間）」、「アルバム長さ（時間）」、…はそれぞれ、データベース部４内にプリインストールされているローカルデータベースや、インターネット網１上のＣＤＤＢなどの楽曲データベースから、ＣＰＵ８が取得するメタデータである。
【００２４】
図８中、「再生システム」、「メディア種類」、「音声トラックｃｈ数」はそれぞれ、メタデータとしてデータベース部４にプリインストールしておいて、ＣＤや各楽曲毎の再生システム(スピーカシステム・オーディオアンプ)の切換えの際に、読み出して利用するデータである。前記した「再生システム」は、下記する図７に示す「Ｓｙｓｔｅｍ」に対応する。
【００２５】
ユーザにより選択された楽曲データは、ＣＤ／ＤＶＤ再生部２或いはオーディオデータ記録部５或いはＤＬＮＡクライアント部６から読み出されオーディオ信号に変換された後に、オーディオアンプ＆スピーカ切換え部７内のスピーカ切換え部１６、スピーカケーブル１０を経て、５つの系統のスピーカシステムＳＰＳ「１」〜ＳＰＳ「５」のいずれか一系統のスピーカシステムで再生される。
【００２６】
図７は、各楽曲のタイプと各系統のスピーカシステムを構成する各スピーカとがマトリクス状に対応付けられて成る組み合わせパターンを示している。ユーザが設定した楽曲のタイプを５つとしたときに、楽曲の各タイプに応じてそれぞれ、５つの系統のスピーカシステムＳＰＳ「１」〜ＳＰＳ「５」の中から一系統のスピーカシステムを自動選択して、当該楽曲を最適に再生するための、５つの再生システム「Ｓｙｓｔｅｍ」を示している。この組み合わせパターンに関するデータは、データベース部４又は図示せぬ半導体メモリの所定アドレスに格納されている。
【００２７】
この５つの切換えパターンは、図７に示すように、同図中左端第１列目の項目「主な用途（目安）」にそれぞれ対応しており、詳しくは、「Ｊａｚｚライブ録音等」「Ｊａｚｚスタジオ録音等」「クラシック等」「Ｐｏｐｓ，Ｒｏｃｋ等（ステレオ）」「ＤＶＤ／５．１ｃｈソース等（マルチチャンネル）」という楽曲タイプと相性の良い組合せが設定されている例である。ここで、「主な用途（目安）」は、楽曲のタイプに対応している。
【００２８】
また、図７中２、４列目には、項目「主な用途（目安）」に対応して、項目「Ｓｙｓｔｅｍ」、項目「ＳＰＳ（スピーカシステム）」がそれぞれ配列されている。「Ｓｙｓｔｅｍ」は５種類の再生システムＡ〜Ｅが配列され、また「ＳＰＳ（スピーカシステム）」は５つのスピーカシステム３，２，１，４，５が配列されている。また図７中３列目の項目「ＡＭＰ」は５種類のアンプの組み合わせ１，２+１，２，３，３，が配列されている。
【００２９】
こうして、「主な用途（目安）」の「Ｊａｚｚライブ録音等」「Ｊａｚｚスタジオ録音等」「クラシック等」「Ｐｏｐｓ，Ｒｏｃｋ等（ステレオ）」「ＤＶＤ／５．１ｃｈソース等（マルチチャンネル）」は、それぞれ、再生システム（Ｓｙｓｔｅｍ）Ａ，Ｂ，Ｃ，Ｄ，Ｅと、アンプの組み合わせ（ＡＭＰ）１，２+１，２，３，３と、スピーカシステム（ＳＰＳ）３，２，１，４，５とに対応する。音楽再生装置ＡＡ〜ＣＣにおける切換えパターンには、前記したアンプの組み合わせ１，２+１，２，３，３は入らない。
【００３０】
こうして、音楽再生装置ＡＡでは、下記（ａ）〜（ｅ）のように、ユーザが設定した楽曲のタイプを５つとしたときに、楽曲の各タイプに応じてそれぞれ、５つの系統のスピーカシステムＳＰＳ「１」〜ＳＰＳ「５」の中から１つのスピーカシステムが自動選択される。
【００３１】
（ａ）再生したい楽曲のタイプが「Ｊａｚｚライブ録音等」のとき
再生システムＡ、第３の系統のスピーカシステムＳＰＳ「３」として分類され、球形スピーカ（Ｆ）＋サブウーファに、自動的に切換えられる。
【００３２】
（ｂ）楽曲のタイプが「Ｊａｚｚスタジオ録音等」のとき
再生システムＢ、第２の系統のスピーカシステムＳＰＳ「２」として分類され、ウッドコーン・スピーカ（Ｆ）＋サブウーファに、自動的に切換えられる。
【００３３】
（ｃ）楽曲のタイプが「クラシック等」のとき
再生システムＣ、第１の系統のスピーカシステムＳＰＳ「１」として分類され、ウッドコーン・スピーカ（Ｆ）に、自動的に切換えられる。
【００３４】
（ｄ）楽曲のタイプが「Ｐｏｐｓ，Ｒｏｃｋ等（ステレオ）」のとき
再生システムＤ、第４の系統のスピーカシステムＳＰＳ「４」として分類され、オブリコーン・スピーカ（Ｆ）に、自動的に切換えられる。
【００３５】
（ｅ）楽曲のタイプが「ＤＶＤ／５．１ｃｈソース等（マルチチャンネル）」のとき
再生システムＥ、第５の系統のスピーカシステムＳＰＳ「５」として分類され、オブリコーン・スピーカ（Ｆ）＋オブリコーン・スピーカ（Ｃ）＋オブリコーン・スピーカ（Ｒ）＋サブウーファに自動的に切換えられる。
【００３６】
このように、音楽再生装置ＡＡは、再生する楽曲のタイプ（再生システム）に応じた５つの系統のスピーカシステムＳＰＳ「１」〜ＳＰＳ「５」を自動的に切換えて、楽曲を最適の音場で再生することができる。
【００３７】
ＣＰＵ８は、データベース部４に記憶されている当該楽曲に関するメタデータを参照し、上記（ａ）〜（ｅ）のように、ユーザが設定した楽曲のタイプを５つとしたときに、楽曲の各タイプに応じてそれぞれ、５つの系統のスピーカシステムＳＰＳ「１」〜ＳＰＳ「５」の中から一系統のスピーカシステムを自動選択するように、オーディオアンプ＆スピーカ切換え部７を切換え制御する。
【００３８】
さて、ユーザが楽曲を聴いているときの５つの系統のスピーカシステムＳＰＳ「１」〜ＳＰＳ「５」の選択方法及び次回再生時の自動切換えのための個別登録方法を、図１と図１１を用いて説明する。
【００３９】
音楽再生装置ＡＡの再生中（ステップＳ２０）に、ユーザがリモコン５１の再生システム選択ボタン部５２（図６）の「Ａ」〜「Ｅ」のいずれかのボタンを押すと（ステップＳ２１）、リモコン５１は押したボタンに対応したリモコン信号を発信し、これに応じて、音楽再生装置ＡＡのリモコン受信部９はこのリモコン信号を受信する。
【００４０】
これに応じて、ＣＰＵ８はその判別切換え制御により、図７に示す再生システム「Ａ」〜「Ｅ」のいずれかに対応した５つの系統のスピーカシステムＳＰＳ「１」〜ＳＰＳ「５」のいずれか一つの系統に切換えて再生する（ステップＳ２２）。例えば、ユーザがリモコン５１の再生システム選択ボタン部５２の「Ａ」ボタンを押すと、再生システム「Ａ」が選択され、第３の系統のスピーカシステムＳＰＳ「３」に自動切換えされてここから楽曲が再生される。
【００４１】
また、楽曲の再生中に、リモコン５１の再生システム選択ボタン部５２の「Ａ」〜「Ｅ」のいずれかを３秒間長押しすると、長押したボタンに対応した再生システムを再生中の楽曲の新しい再生システムとして、データベース部４へ更新・登録する。
【００４２】
例えば、ユーザがリモコン５１の再生システム選択ボタン部５２の「Ｂ」ボタンを３秒間長押しすると、押した時点で再生システム「Ｂ」が選択され、スピーカシステムＳＰＳ「２」に自動切換えされてここから楽曲が再生され、押し続けて３秒後に再生システム「Ｂ」が再生中の楽曲の個別の再生システムとして更新・登録され、次回以降に同曲が再生される度に、再生システム「Ｂ」に自動的に切り換わって再生される。
【００４３】
図１１で示した手順では１曲毎に楽曲タイプを登録するため、楽曲毎に細かく設定できる反面、設定が面倒という難点がある。それを解決した応用例として、楽曲メタデータの中のジャンル情報やアーティスト情報、アルバム情報を利用して、現在再生している楽曲のタイプと類似すると思われる複数の楽曲の再生システムを一括して更新・登録する手順を図１２を用いて説明する。
【００４４】
図１１と同様に楽曲の再生中に、選択したスピーカシステムが再生中の楽曲のタイプとして最適とユーザが判断したら、リモコン５１の再生システム切換えボタン部５２の同じボタンを例えば３秒間長押しする（ステップＳ２３）と、次に、登録・保存する際、１曲毎の楽曲タイプ登録又は同一ジャンル全ての曲の楽曲タイプ一括登録、同一アーティスト全ての曲の楽曲タイプ一括登録、同一アルバム全ての曲の楽曲タイプ一括登録、つまり「この曲のみを設定する」か？「同ジャンルを全て設定する」か？「アーティスト全体を設定する」か？「アルバム全体を設定する」か？を表示画面上でユーザに選択させ（ステップＳ２５）、この選択に応じて、ステップＳ２４、Ｓ２６、Ｓ２７、Ｓ２８にて、データベース部４に楽曲毎の個別設定として、或いはジャンルの設定として、或いはアーティスト全体の設定、或いはアルバム全体の設定として登録・保存するか？を決定する。
【００４５】
ＧＵＩ（グラフィカルユーザインターフェース）表示機能を有しない音楽再生装置ＡＡの場合には上記選択肢を表示画面上に表示するのではなく、一度再生を一時停止して「この曲のみを設定するならＡを、同ジャンルを全て設定するならＢを、ディスクのアルバム全体を設定するならＣを押してください」というような音声アナウンスによりユーザ選択を促す方法でも良い。
【００４６】
音楽のジャンル全体、アーティスト全体、或いはアルバム全体で設定する場合のデータベース４上での処理方法は上記のように楽曲毎のメタデータとは別にジャンル毎、アーティスト毎、アルバム毎という括りの別データとして記憶・保存する方法と、同ジャンル全体、アーティスト全体、アルバム全体で一括に楽曲毎のメタデータを変更する方法とがあるが、どちらを用いても良い。
【００４７】
楽曲毎のメタデータを一括で変更する方法の場合には、事前にいくつかの曲を一括ではなく楽曲毎に設定済の状態で、その後ジャンル或いはアーティスト、アルバム全体を一括設定する場合、既に個別設定済の楽曲も含めて一括で設定変更されてしまうことを防止するため、楽曲個別に設定した楽曲は「個別設定した」というフラグを記憶しておくことにより一括変更の対象外とし、個別での設定を尊重できるようにする。
【００４８】
図９における（ステップＳ１）の機能設定のメニュー画面６１から、＜ジャンル別再生システムの設定＞を選択することにより、楽曲個別の設定ではなくジャンル別の再生システムの設定をできるようにしても良い。
【００４９】
（第２の実施の形態）
本発明の第２の実施の形態に係る音楽再生装置ＢＢは、下記に詳述する如く、図２、図７に示すように、通信ネットワーク１と複数系統のスピーカシステムＳＰＳ「１」〜ＳＰＳ「４」との間に介挿接続され、かつ再生すべき楽曲のタイプ毎に対応付けられた前記複数系統のスピーカシステムの中から当該楽曲のタイプに対応した系統のスピーカシステムを選択して、楽曲を再生する音楽再生装置であって、
メモリ手段）４と、切換手段１６と、制御手段８とを備えており、
前記メモリ手段４は、
内部の情報記録媒体（ＣＤ／ＤＶＤ）から読み出した楽曲データと、前記通信ネットワーク１に接続する外部データベースから読み出した当該楽曲に関する楽曲付帯データとをメモリし、
前記制御手段８は、
各楽曲のタイプと各系統のスピーカシステムとがマトリクス状に対応付けられて成る組み合わせパターン（再生システム（Ｓｙｓｔｅｍ））Ａ〜Ｄの中から、当該楽曲に関する前記メモリ手段４から読み出した前記楽曲付帯データと当該楽曲のタイプに対応した系統のスピーカシステムとの組み合わせパターンを抽出し、抽出した系統のスピーカシステムに切換えるための切換制御信号と、内部の情報記録媒体（ＣＤ／ＤＶＤ）から読み出した当該楽曲データとを前記切換手段１６へそれぞれ出力し、
前記切換手段１６は、
前記制御手段８から供給される前記切換制御信号によってスピーカシステムを切換え、切換えた当該スピーカシステムに前記楽曲データに応じた音声信号を供給することを特徴とする音楽再生装置である。
【００５０】
具体的には、音楽再生装置ＢＢは、図２に示すように、大略、前記したオーディオデータ記録部５は非内蔵でデータベース部４のみ内蔵しており、このデータベース部４に対して、ＣＤ再生部１７から読み出した楽曲に関するメタデータ、あるいは、外部のデータベースから読み出したメタデータを記録する。
【００５１】
一方、ＣＤ再生部１７から再生される楽曲データは、アナログオーディオ信号として、４つの系統のスピーカシステムＳＰＳ「１」〜ＳＰＳ「４」へ出力される。また音楽再生装置ＢＢは、音楽サーバー／クライアントの働きを持ち、本発明の特徴である再生すべき楽曲のタイプに応じて複数系統のスピーカのうちから最適な系統のスピーカシステムに自動的に切換えて、聴きたい楽曲を最適な音場で再生できる音楽再生装置である。
【００５２】
この場合、ＣＤに収録された楽曲に関するメタデータは、当該ＣＤのＴＯＣデータを読み取り、これを基に、音楽再生装置ＢＢ内にプリインストールされたローカルなデータベース部４から抽出するもの、或いは、Ｅｔｈｅｒｎｅｔ（登録商標）インターフェース部１８を通じてインターネット網１上にあるＣＤＤＢの楽曲データベースにアクセスし、当該ＣＤに収録された楽曲に関するメタデータを取得し、当該楽曲に隣接するメタデータとしてデータベース部４に一旦記録してから読み出したものである。
【００５３】
図２中、１はインターネット網、４はデータベース部（Ｄａｔａ  Ｂａｓｅ）、７はオーディオアンプ＆スピーカ切換え部、８はＣＰＵ、９はリモコン受信部、１０はスピーカケーブル、１１〜１４はそれぞれスピーカ、１６はスピーカ切換え部、１７はＣＤ再生部、５１はリモコンである。前述したものと同一のものには同一符号を付している。
【００５４】
音楽再生装置ＢＢでプリセットできる再生システムは、前述した音楽再生装置ＡＡ（図１）でプリセットできる再生システムＡ〜Ｅ中、再生システムＡ〜Ｄと等しいものであり、また、これら再生システム「Ａ」，「Ｂ」，「Ｃ」，「Ｄ」はそれぞれ、４つの系統のスピーカシステムＳＰＳ「３」，ＳＰＳ「２」，ＳＰＳ「１」，ＳＰＳ「４」に対応している。
【００５５】
具体的には、音楽再生装置ＢＢのＣＤ再生部１７にＣＤを挿入すると、ＣＤ再生部１７は当該ＣＤのＴＯＣデータを図１３に示すリードイントラックのサブコードのデータＱから読み取り、読み取ったこのＴＯＣデータを基に、データベース部４内にプリインストールされたローカルデータベースから当該ＣＤに収録された楽曲に関するメタデータを取得、或いは、Ｅｔｈｅｒｎｅｔ（登録商標）インターフェース部１８を通じてインターネット網１上にあるＣＤＤＢの楽曲データベースにアクセスし、当該ＣＤに収録された楽曲に関するメタデータを取得する。
【００５６】
一方、ユーザにより選択された楽曲の音楽ファイルデータ（楽曲データ或いはオーディオデータ）は、ＣＤ再生部１７或いはＥｔｈｅｒｎｅｔ（登録商標）インターフェース部１８を通じてインターネット網１上から取得され、所要の再生処理をして得た音声信号は、オーディオアンプ＆スピーカ切換え部７内のスピーカ切換え部１６、スピーカケーブル１０を経て、４つの系統のスピーカシステムＳＰＳ「１」〜ＳＰＳ「４」のいずれから出力される。
【００５７】
ＣＰＵ８は、データベース部４に記録してある当該楽曲に関するメタデータを読み出して参照し、各楽曲のタイプ毎に前記した４つの再生システムＡ〜Ｄの中から選択しておいた１の再生システムに関するスピーカシステム選択状態を読み出して、オーディオアンプ＆スピーカ切換え部７を切換え制御する。
こうして、ユーザが選曲した楽曲を所望の再生システムで再生することができる。
【００５８】
（第３の実施の形態）
本発明の第３の実施の形態に係る音楽再生装置ＣＣは、下記に詳述する如く、図３、図７に示すように、通信ネットワーク１と複数系統のスピーカシステムＳＰＳ「１」〜ＳＰＳ「４」との間に介挿接続され、かつ再生すべき楽曲のタイプ毎に対応付けられた前記複数系統のスピーカシステムの中から当該楽曲のタイプに対応した系統のスピーカシステムを選択して、楽曲を再生する音楽再生装置であって、
メモリ手段４と、切換手段１６と、制御手段８とを備えており、
前記メモリ手段４は、
前記通信ネットワーク１に接続する外部データベースから読み出した、楽曲データと当該楽曲に係る楽曲付帯データとを、それぞれメモリし、
前記制御手段８は、
各楽曲のタイプと各系統のスピーカシステムとがマトリクス状に対応付けられて成る組み合わせパターン（再生システム（Ｓｙｓｔｅｍ））Ａ〜Ｄの中から、当該楽曲に関する前記メモリ手段４から読み出した前記音楽付帯データと当該楽曲のタイプに対応した系統のスピーカシステムとの組み合わせパターンを抽出し、抽出した系統のスピーカシステムに切換えるための切換制御信号と、前記メモリ手段４から読み出した前記楽曲データとを前記切換手段１６へそれぞれ出力し、
前記切換手段１６は、
前記制御手段８から供給される前記切換制御信号によってスピーカシステムを切換え、切換えた当該スピーカシステムに前記楽曲データに応じた音声信号を供給することを特徴とする音楽再生装置である。
【００５９】
具体的には、音楽再生装置ＣＣは、図３に示すように、大略、前記したＣＤ／ＤＶＤ再生部２やＣＤ再生部１７を持たず、またＥｔｈｅｒｎｅｔ（登録商標）インターフェース部１８の代りにＤＬＮＡのクライアント１９を設けて、ＬＡＮ上にあるＤＬＮＡサーバーやインターネット網１上のストリーミング再生を行う装置である。ＤＬＮＡのクライアント１９は、ＬＡＮ上からユーザが選んだ楽曲に関する楽曲データとメタデータとが供給される。
【００６０】
この場合、ストリーミング再生を行なう楽曲に関するメタデータは、ＤＬＮＡサーバーやインターネット網１の楽曲データそのもののＩＤ３タグなどの情報に含まれるメタデータを取得し、当該楽曲に隣接するメタデータとしてデータベース部４に記録する。
【００６１】
図３中、１はインターネット網、４はデータベース部（Ｄａｔａ  Ｂａｓｅ）、７はオーディオアンプ＆スピーカ切換え部、８はＣＰＵ、９はリモコン受信部、１０はスピーカケーブル、１１〜１４はそれぞれスピーカ、１６はスピーカ切換え部、１９はＤＬＮＡクライアント、５１はリモコンである。
【００６２】
音楽再生装置ＣＣでプリセットできる再生システムは、前述した音楽再生装置ＢＢ（図２）と同様である。即ち、音楽再生装置ＣＣでプリセットできる再生システムは再生システムＡ〜Ｄであり、また、これら再生システムＡ〜Ｄはそれぞれ、前記した４つのスピーカ１１〜１４は４つの系統のスピーカシステムＳＰＳ「３」，ＳＰＳ「２」，ＳＰＳ「１」，ＳＰＳ「４」に対応しており、これらスピーカシステムの選択の設定はユーザによって任意に行うことができることも同様である。
【００６３】
音楽再生装置ＣＣは、ＤＬＮＡのクライアント１９を通じて、ＬＡＮ上にあるＤＬＮＡサーバーやインターネット網１上のストリーミング再生を行う楽曲に関するメタデータを読み取り、データベース部４に記録する。
【００６４】
また、ユーザにより選択された楽曲の音楽ファイルデータは、ＤＬＮＡのクライアント１９を通じてインターネット網１上から取得され、所要の再生処理をして得た音声信号は、オーディオアンプ＆スピーカ切換え部７内のスピーカ切換え部１６、スピーカケーブル１０を経て、４つの系統のスピーカシステムＳＰＳ「１」〜ＳＰＳ「４」のいずれから出力される。
【００６５】
ＣＰＵ８は、データベース部４に記録してある当該楽曲に関するメタデータを読み出して参照し、各楽曲のタイプごとに前記した４つの再生システムＡ〜Ｄの中から選択しておいた１の再生システムに関するスピーカシステム選択状態をそれぞれ読み出して、オーディオアンプ＆スピーカ切換え部７を切換え制御する。
こうして、ユーザが選曲した楽曲を所望の再生システムで再生することができる。
【００６６】
（第４の実施の形態）
本発明の第４の実施の形態に係る音楽再生装置ＤＤは、下記に詳述する如く、図４、図７に示すように、通信ネットワーク１と複数系統のスピーカシステムＳＰＳ「１」〜ＳＰＳ「５」との間に介挿接続され、かつ前記複数系統のスピーカシステムＳＰＳ「１」〜ＳＰＳ「５」の前段には複数系統の音声信号増幅器（アンプＡＭＰ１〜ＡＭＰ３）２１〜２３が切換え可能なように接続されており、かつ再生すべき楽曲のタイプ毎に対応付けられた前記複数系統の音声信号増幅器２１〜２３と前記複数系統のスピーカシステムとの中から当該楽曲のタイプに対応した系統の音声信号増幅器とスピーカシステムとをそれぞれ選択して、楽曲を再生する音楽再生装置であって、
メモリ手段４，５と、切換手段（ルーティング制御部）２０と、制御手段８とを備えており、
前記メモリ手段４，５は、
前記通信ネットワーク１に接続する外部データベース又は内部の情報記録媒体（ＣＤ／ＤＶＤ）から読み出した楽曲データと、前記外部データベースから読み出した当該楽曲に関する楽曲付帯データ（メタデータ）とをメモリし、
前記制御手段８は、
各楽曲のタイプと各系統の音声信号増幅器と各系統のスピーカシステムとが対応付けられて成る組み合わせパターン（再生システム（Ｓｙｓｔｅｍ））Ａ〜Ｅの中から、当該楽曲に関する楽曲付帯データと音声信号増幅器とスピーカシステムとの組み合わせパターンを抽出し、当該組み合わせパターンに係る音声信号増幅器とスピーカシステムとに切換えるための切換制御信号と、前記メモリ手段４，５から読み出した前記楽曲データとを前記切換手段２０へそれぞれ出力し、
前記切換手段２０は、
前記制御手段８から供給される前記切換制御信号に基づいて選択された音声信号増幅器とスピーカシステムとに切換え、前記楽曲データに応じた音声信号を当該音声信号増幅器に供給することを特徴とする音楽再生装置である。
【００６７】
具体的には、音楽再生装置ＤＤは、図４に示すように、大略、前記した音楽再生装置ＡＡ（図１）を構成するオーディオアンプ＆スピーカ切換え部７に替えて、ルーティング制御部２０を新たに設け、新たにアンプ２１〜２３、接続ケーブル２４を接続可能としたものに等しいものである。
【００６８】
即ち、音楽再生装置ＤＤは、ＣＤ／ＤＶＤ再生部２を内蔵し、且つ、ＨＤＤ部３に、ＣＤからのリッピング或いはインターネット網１上の配信音楽の取り込みにより楽曲データと当該楽曲に関するメタデータとを読み込み、また音楽サーバー／クライアントの働きを持ち、スピーカシステムＳＰＳ「１」〜ＳＰＳ「５」だけでなく、アンプ２１〜２３についても複数系統を自動切換えできる音楽再生装置である。楽曲ごとの楽曲データとメタデータとの取得・記録方法は音楽再生装置ＡＡ（図１）と同様である。図１と同一構成部分には同一符号を付している。
【００６９】
音楽再生装置ＤＤは、音楽を再生する際、ユーザにより選択された楽曲に関する音楽ファイルはＣＤ／ＤＶＤ再生部２或いはオーディオデータ記録部５或いはＤＬＮＡクライアント部６から取得され、ルーティング制御部２０を経て、アナログ信号或いはＳ／ＰＤＩＦやＨＤＭＩなどの接続ケーブル２４を通じて、まずアンプ２１〜２３にそれぞれ出力される。
各楽曲のタイプと各系統のアンプと各系統のスピーカシステムとが対応付けられて成る組み合わせパターンに関するデータは、データベース部４又は図示せぬ半導体メモリの所定アドレスに格納されている。
【００７０】
この時、ＣＰＵ８は、データベース部４又は図示せぬ半導体メモリの所定アドレスから前記した各楽曲のタイプと各系統のアンプと各系統のスピーカシステムとが対応付けられて成る組み合わせパターンに関するデータを読み出し、詠み出したこの組み合わせパターンに基づいて、データベース部４に記憶されている当該楽曲のメタデータを基に、ユーザが楽曲ごとに記憶しておいた、再生するアンプ２１〜２３に自動的に切換えて出力し、本装置ＤＤに接続されている各アンプ２１〜２３からのスピーカケーブル１０の内、当該再生アンプ２１〜２３のスピーカ出力からの本装置ＤＤへの入力に切換え、更に、ユーザが楽曲のタイプ毎に記憶しておいた、５つの系統のスピーカシステムＳＰＳ「１」〜ＳＰＳ「５」に自動的に切換えて、楽曲を最適に再生する制御を行なう。
【００７１】
ユーザがまだ、再生する楽曲のタイプに対してのアンプ、再生スピーカシステムの前記した組み合わせパターンの設定をしていない場合は、工場出荷時の初期設定値に従い再生する。また、楽曲ごとのアンプの切換えについては、接続ケーブル２４にＨＤＭＩを利用した場合には、ＨＤＭＩ−ＣＥＣの制御信号を利用して、データベース上に記憶されている楽曲に関するメタデータに基づき、自動制御することにより、よりきめ細かい最適設定組み合わせで当該楽曲を再生できる。
【００７２】
図５はオーディオ＆スピーカ切換部のブロック構成図である。
図５に示すように、ソース切換え部３１はユーザ操作により選択された、ＣＤ／ＤＶＤ再生、ＨＤＤ内楽曲再生、ネットワーク楽曲再生のいずれかの音楽再生ソースに切換え、選択された音楽再生ソースの信号はデコード＆ＤＳＰ部３２により、圧縮処理などが復調されて、フロントスピーカ用アンプ部３３、センタースピーカ用アンプ部３４、サラウンドスピーカ用アンプ部３５、サブウーハ用プリアンプ部３６にて、必要に応じて増幅されてスピーカ切換え部１６に出力される。
【００７３】
各スピーカ用アンプ部３３〜３６の動作の設定はＣＰＵ８の制御によりデータベース部４上の当該楽曲毎のメタデータに基づき動作する。スピーカ切換え部１６では各スピーカ用アンプ部３３〜３６の出力をＣＰＵ８の制御によりデータベース部４上の当該楽曲毎、或いはジャンル毎、アルバム毎、アーティスト毎のメタデータに基づきスピーカ切換えスイッチ部３７〜４０を切換えることにより出力するスピーカに各々接続する。
【００７４】
例えば映画など、5.1ｃｈなどのマルチチャンネルでオーサリングされたＤＶＤなどを挿入した場合は、そのオーディオストリーム・チャンネル数をVideo_TS.INF内の情報から検知し、ＣＤと同様にデータベース４上に当該ＤＶＤのメタデータとして記憶・保存し、オーディオストリーム・チャンネル数のデータに基づき、予め設定した5.1ｃｈなどのマルチチャンネルのスピーカシステムの組み合わせに自動的に切換えて迫力あるサウンドで聴取できる。
【００７５】
図６はリモコンを示す図である。再生システム切換えボタン部５２のダイレクトボタンにより、再生中に任意の予め設定した再生システム（アンプとスピーカの組み合わせなど）に切換えられると共に、当該楽曲の再生システムの登録に用いる。
【００７６】
図７は各再生システムの切換パターンを示す図である。例えば、Ｊａｚｚのライブ録音のソースの場合はクラブハウスの臨場感を得意とする球形スピーカとその低音を補うサブウーハで、アンプはＮｏ．１のアンプで聞きたい、などの設定で、予めプリセットしておき、ユーザはジャンル、アーティスト、アルバム、メディアなどの括り毎或いは１曲毎に、どの再生システムで鳴らすか？を図６のリモコン５１の再生システム切換えボタン部５２で選択するだけで任意に切換え、設定できる。
【００７７】
また、クラシックは木製楽器の再現が得意なウッドコーンのみのスピーカで、アンプはＮｏ．２で聞きたい、などの想定で、いくつかの組み合わせを予めプリセットしておき、ユーザはジャンル、アーティスト、アルバム、メディアなどの括り毎或いは１曲毎に、どの再生システムで鳴らすか？を図６のリモコン５１の再生システム切換えボタン部５２で選択するだけで任意に切換え、設定できる。
【００７８】
図９は再生システム設定のフローチャート及び設定画面を示す図であり、この図９で示す予め設定する再生システムのプリセット方法について説明する。
ユーザがステップＳ１にて機能設定のメニュー画面６１から＜組み合わせシステム設定＞を選択すると、組み合わせシステム設定画面６２が表示される。
【００７９】
次にステップＳ２で、これから設定したいシステム（図の例ではＡ〜Ｆ）を選択（図の例ではＣを選択）すると、選択されたシステムの詳細設定画面６３に移行する。
【００８０】
次にステップＳ４で設定するアイテム（図の例ではスピーカ）を選択すると、選択されたアイテムの詳細設定画面６４に移行する。
【００８１】
次にステップＳ５で組み合わせる機器（図の例ではスピーカ）を選択し、図７のカラーボタン部５３の例えば（黄）ボタンを押して保存・終了すると、設定した内容が反映されて組み合わせシステム設定画面６２に戻る。
【００８２】
ここで必要に応じてステップＳ３にて各システム設定の性質が後からでも分かりやすくなるように、カラーボタン部５３の例えば（青）ボタンを押して、文字入力の画面を出して設定した組み合わせシステムに名前を付けることができる。最後にステップＳ６にてカラーボタン部５３の例えば（黄）ボタンを押すことにより、設定を保存・終了する。
【００８３】
図１０は図１、図２、図４などＣＤ再生部を内蔵する装置ＡＡ，ＢＢ，ＤＤの場合のＣＤ挿入からデータベース登録、再生システム切換えまでのフローチャート例である。
【００８４】
まずステップＳ７でＣＤが挿入され、再生がはじまると、ステップＳ８で図１３に示されるリードイントラックのサブコードのデータＱに含まれるＴＯＣ（Ｔａｂｌｅ  Ｏｆ  Ｃｏｎｔｅｎｔｓ）情報を抽出し、当該ＣＤの各楽曲の長さや曲数などの基本的なメタデータを取得する。
【００８５】
次にステップＳ９で当該ＣＤの各楽曲の長さや曲数などの基本的なメタデータと本体内のデータベース部４内のメタデータと一致するものが無いか？比較する。
【００８６】
一致するものが無ければ、当該ＣＤが未登録であると判断し、ステップＳ１０でインターネット網１上のＣＤＤＢなどの音楽データベースや、データベース部４内のローカルデータベースにアクセスし、ステップＳ１１で当該ＣＤの各楽曲の長さや曲数などの基本的なメタデータとＣＤＤＢなどの音楽データベース内のデータを照合し、ステップＳ１２で合致するものが無いか？判断する。
【００８７】
合致するものが無ければ、ステップＳ１３で当該ＣＤのジャンル名やアルバム名、アーティスト名、曲名などのメタデータの取得を断念し、再生時に図１３に示されるオーディオトラックのサブコードのデータＱに含まれるトラック（曲）番号、トラック（曲）の走行時間の終わり値、ディスク上の走行時間から、各楽曲長さ、ディスク全体の長さなどのメタデータを自動生成し、データベース部４に記憶・保存する。ジャンル名やアルバム名、アーティスト名、曲名などのメタデータは後からのユーザの文字入力やジャンル選択等の手操作により、追加記憶・保存できる。
【００８８】
ステップＳ１２で合致するアルバムのメタデータが有る場合はステップＳ１４で、その合致したメタデータを表示し、ユーザに確認してもらい、良ければステップＳ１５でデータベース部４に記憶・保存し、再びステップＳ９へと移行する。
【００８９】
ステップＳ９にて読み出したＴＯＣのデータが既に登録済みであればステップＳ１６に進み、データベース部４から当該楽曲のメタデータを読み出し、ステップＳ１７で当該楽曲の再生システムが個別に登録されているか？確認し、楽曲個別に登録されていなければステップＳ１８でアルバム別に登録されていればその設定に、無ければジャンル別に設定されている再生システムに切換えて再生する。
【００９０】
工場出荷初期値は各ジャンルとも初期値として再生システムＡをプリセットしておき、個別の設定がない場合でも少なくとも再生システムＡで再生できるようにしておく。
【００９１】
ステップＳ１７で当該楽曲の再生システムが個別に登録されている場合は、ステップＳ１９にて楽曲毎にその登録データに基づいて再生する。この時、一つ前の曲と再生システムが変わる場合は楽曲が変わる瞬間と再生システムが変わる瞬間のタイミングを同期して切換える。切換え時に雑音が発生する可能性がある場合は音楽が欠けない範囲で切換える瞬間に出力を一瞬ミュートする。
【図面の簡単な説明】
【００９２】
【図１】本発明の第１の実施の形態にかかる音楽再生装置のブロック構成図
【図２】本発明の第２の実施の形態にかかる音楽再生装置のブロック構成図
【図３】本発明の第３の実施の形態にかかる音楽再生装置のブロック構成図
【図４】本発明の第４の実施の形態にかかる音楽再生装置のブロック構成図
【図５】オーディオ＆スピーカ切換部のブロック構成図
【図６】リモコンを示す図
【図７】各再生システムの切換パターンを示す図
【図８】各楽曲に関するメタデータ内容を示す図
【図９】再生システム設定のフローチャート及び設定画面を示す図
【図１０】音楽再生装置の再生フローチャート
【図１１】楽曲毎に楽曲タイプを登録するためのフローチャート
【図１２】楽曲毎に行なう楽曲タイプの登録又は同一のジャンルの全てや同一アルバムの全てを一括して楽曲タイプを登録するためのフローチャート
【図１３】リードイントラックのサブコードのデータQのデータフォーマットを示す図
【図１４】オーディオトラックのサブコードのデータQのデータフォーマットを示す図
【符号の説明】
【００９３】
１  インターネット網（通信ネットワーク）
４  データベース部
５  オーディオデータ記録部
８  ＣＰＵ（制御手段）
１１〜１５  スピーカ
１６  スピーカ切換え部（切換手段）
２０  ルーティング制御部（切換手段）
２１〜２３  外部接続オーディオアンプ
２５  ＣＤ再生機（情報記録媒体再生装置）
Ａ〜Ｅ  再生システム（組み合わせパターン）
ＡＡ〜ＤＤ  音楽再生装置
ＡＭＰ１＃１〜ＡＭＰ３＃３  音声信号増幅器
ＳＰＳ「１」〜ＳＰＳ「５」  スピーカシステム
【図１】
2010011159.tif 000003
【図２】
2010011159.tif 000004
【図３】
2010011159.tif 000005
【図４】
2010011159.tif 000006
【図５】
2010011159.tif 000007
【図６】
2010011159.tif 000008
【図７】
2010011159.tif 000009
【図８】
2010011159.tif 000010
【図９】
2010011159.tif 000011
【図１０】
2010011159.tif 000012
【図１１】
2010011159.tif 000013
【図１２】
2010011159.tif 000014
【図１３】
2010011159.tif 000015
【図１４】
2010011159.tif 000016